(57)【要約】【課題】視認性を向上させることができる表示装置を提供する。【解決手段】表示装置１は、映像等の表示を行う表示モジュール２と表示モジュール２に映像データを送信するとともに表示モジュール２を制御する表示制御モジュール３とから構成されている。表示モジュール２は、反射型表示モジュール２１の裏面に、ＬＥＤを表示デバイスとして用いたＬＥＤ表示モジュール２４を配置させた構成からなる。ＬＥＤデバイス表示部画素２５Ｒ，２５Ｇ，２５Ｂは、ＬＥＤデバイス駆動部２６上で、反射型デバイス表示部画素２２Ｒ，２２Ｇ，２２Ｂと同じ間隔で同じ数だけ設けられている。即ち、ＬＥＤデバイス表示部画素２５Ｒ，２５Ｇ，２５Ｂは、反射型デバイス表示部画素２２Ｒ，２２Ｇ，２２Ｂと一対一に対応するように設けられている。【選択図】図１
2006146017.tif 000002
【特許請求の範囲】
【請求項１】
画素を配列してなる反射型デバイス表示部を含む反射型表示モジュールと、
前記反射型デバイス表示部に対応した画素を配列してなるＬＥＤデバイス表示部を含み前記反射型表示モジュールの裏面に配置されたＬＥＤ表示モジュールと、
前記反射型表示モジュールまたは前記ＬＥＤ表示モジュールのいずれかの選択を行い選択された一方のみに映像を表示させる表示制御モジュールと
を備えることを特徴とする表示装置。
【請求項２】
請求項１に記載の表示装置であって、
前記反射型デバイス表示部は、コレステリック液晶を含み、
前記表示制御モジュールは、前記ＬＥＤデバイス表示部が発光するときには前記反射型デバイス表示部を透過状態に駆動する反射型デバイス駆動部を有する
ことを特徴とする表示装置。
【請求項３】
請求項１又は請求項２に記載の表示装置であって、
前記選択は、周囲の光の照度に基づき行われる
ことを特徴とする表示装置。
【請求項４】
請求項３に記載の表示装置であって、
前記表示制御モジュールは、前記照度を測定する照度センサーを有し、前記照度センサーにより測定された照度測定値が所定の閾値より大きい場合には前記反射型表示モジュールを選択し前記照度測定値が前記所定の閾値より小さい場合には前記ＬＥＤ表示モジュールを選択する
ことを特徴とする表示装置。
【請求項５】
請求項１又は請求項２に記載の表示装置であって、
前記選択は、時刻に基づき行われる
ことを特徴とする表示装置。
【請求項６】
画素を配列してなる反射型デバイス表示部を含む反射型表示モジュールと、
前記反射型デバイス表示部に対応した画素を配列してなるＬＥＤデバイス表示部を含み前記反射型表示モジュールの裏面に配置されたＬＥＤ表示モジュールと、
１個の映像のうちの第１領域は前記反射型表示モジュールに表示させ前記第１領域以外の領域である第２領域は前記ＬＥＤ表示モジュールに表示させる表示制御モジュールと
を備えることを特徴とする表示装置。
【請求項７】
請求項６に記載の表示装置であって、
前記反射型デバイス表示部は、コレステリック液晶を含み、
前記表示制御モジュールは、前記ＬＥＤデバイス表示部が発光するときには前記反射型デバイス表示部を透過状態に駆動する反射型デバイス駆動部を有する
ことを特徴とする表示装置。
【請求項８】
請求項６又は請求項７に記載の表示装置であって、
前記第１領域は、視認のための訴求力を高く必要としない領域である
ことを特徴とする表示装置。
【請求項９】
請求項１乃至請求項８のいずれかに記載の表示装置であって、
前記ＬＥＤ表示モジュールは、画素間に衝立状に配置されたシェダーを有する
ことを特徴とする表示装置。
【発明の詳細な説明】
【技術分野】
【０００１】
本発明は、表示装置に関するものであり、特に、液晶等を用いた反射型の表示モジュールとＬＥＤを用いた自発光型の表示モジュールとを組み合わせた表示装置に関するものである。
【背景技術】
【０００２】
従来、表示装置には、表示デバイスとしてＣＲＴ（Cathode Ray Tube）、ＰＤＰ（Plasma Display Panel）、ＶＦＤ（Vacuum Fluorescent Display）やＬＣＤ（Liquid Crystal Display）等が広く使用されている。特にＬＣＤでは、ＴＮモードのＬＣＤ、ＳＴＮモードのＬＣＤやＴＦＴ−ＬＣＤ等、様々な種類のデバイスが使用されている。
【０００３】
しかし、上記の表示デバイスは、表示素子の特性から、所定の駆動を常時行っていなければ表示を行うことができない。そのため、静止画のような変化のない画像であっても、常に駆動する必要があり、電力を多く消費していた。これに対し、メモリ性の動作モードを有するコレステリック液晶を表示素子とする反射型デバイスを表示デバイスとして用いた表示装置では、表示した画像を保持するために駆動する必要がなく消費電力を低減できるため、注目されている。
【０００４】
コレステリック液晶を表示素子とする反射型デバイスの動作について説明する。当該表示デバイスは、一対の平行した基板間に挟持させたコレステリック液晶のねじれ中心部（ヘリカル軸）が基板に対して平均的に垂直となるように配列されるとき、そのねじれの向きに対応した円偏向を反射する性質を有する。この現象を選択反射と呼び、また、この選択反射を示す液晶配列をプレナー配列と呼んでいる。
【０００５】
一方、プレナー配列とは異なる液晶配列として、複数のドメインにおいて液晶のねじれ軸が基板に対してランダムな方向または非垂直な方向に配列しているフォーカルコニック配列と呼ばれる配列を取ることが可能である。フォーカルコニック配列では、弱い散乱状態を示し、選択反射のように特定の波長の光を反射することはなく、コレステリック液晶に入射した光は通過する。
【０００６】
コレステリック液晶は、パルス状の電圧を基板間に印加し、印加する電圧振幅の大きさ（印加電圧値）を制御することで、プレナー配列をフォーカルコニック配列に、またはフォーカルコニック配列をプレナー配列に変化させることができる。フォーカルコニック配列からプレナー配列への変化は、液晶分子が電界印加方向とほぼ平行になる液晶配列（ホメオトロピックと呼ぶ）を経由して起こるため、最も高い印加電圧が必要とされる。上記内容については、例えば特許文献１に詳しく記載されている。
【０００７】
特許文献１に開示されるようなコレステリック液晶を表示素子とする反射型デバイスを表示デバイスとして用いた表示装置では、外光を反射することによって映像を表示することができるが、反面、夜間や屋内等の外光が十分に表示装置に入射してこない環境では、別途表示デバイスを照らすための光源が必要になる。そこで、表示装置の外部に照明を設置する方法や、表示デバイスの背面に光源を設置する方法が提案されている。上記内容については、例えば特許文献２〜４に詳しく記載されている。
【０００８】
【特許文献１】特開２００２−２０２４９５号公報
【特許文献２】特開昭５７−３７３９３号公報
【特許文献３】特開平６−３３２３８６号公報
【特許文献４】特開２００１−４９９７号公報
【発明の開示】
【発明が解決しようとする課題】
【０００９】
特許文献２〜４に開示された表示装置は、ＬＥＤ（Light-Emitting Diode）等を備えてはいるが、バックライト等の補助的な照明デバイスとしてのみ用いている。そのため、視認性が低下してしまう場合があるという問題点があった。
【００１０】
そこで、本発明は、上記の課題を解決するためになされたものであり、視認性を向上させることができる表示装置を提供することを目的とする。
【課題を解決するための手段】
【００１１】
本発明に係る表示装置は、画素を配列してなる反射型デバイス表示部を含む反射型表示モジュールと、反射型デバイス表示部に対応した画素を配列してなるＬＥＤデバイス表示部を含み反射型表示モジュールの裏面に配置されたＬＥＤ表示モジュールと、反射型表示モジュールまたはＬＥＤ表示モジュールのいずれかの選択を行い選択された一方のみに映像を表示させる表示制御モジュールとを備えることを特徴とする。
【発明の効果】
【００１２】
本発明に係る表示装置は、画素を配列してなる反射型デバイス表示部を含む反射型表示モジュールと、反射型デバイス表示部に対応した画素を配列してなるＬＥＤデバイス表示部を含み反射型表示モジュールの裏面に配置されたＬＥＤ表示モジュールと、反射型表示モジュールまたはＬＥＤ表示モジュールのいずれかの選択を行い選択された一方のみに映像を表示させる表示制御モジュールとを備えることを特徴とする。従って、照度が低い環境においては、ＬＥＤ表示モジュールを選択することで、視認性を向上させることが可能となる。また、照度が高い環境においては、反射型表示モジュールを選択することで、消費電力を低減することが可能となる。また、ＬＥＤデバイス表示部は、照明デバイスとしてではなく、画素として、反射型デバイス表示部に対応して構成されている。従って、視認性をより向上させることができる。
【発明を実施するための最良の形態】
【００１３】
＜実施の形態１＞
図１は、本発明の実施の形態１に係る表示装置１の概略構成を示す模式図である。図１において、表示装置１は、映像等の表示を行う表示モジュール２と表示モジュール２に映像データを送信するとともに表示モジュール２を制御する表示制御モジュール３とから構成されている。
【００１４】
ここで、映像データは、光の３原色に対応した赤、緑、および青の各画素をひとつのピクセルとして構成し、そのピクセルを最小単位としてマトリクス状に配置することでひとつの映像を構成するデータである。
【００１５】
表示モジュール２は、反射型表示モジュール２１の裏面に、ＬＥＤを表示デバイスとして用いたＬＥＤ表示モジュール２４を配置させた構成からなる。
【００１６】
反射型表示モジュール２１は、コレステリック液晶を表示デバイスとして用いた反射型デバイス表示部２２と反射型デバイス表示部２２を駆動するための反射型デバイス駆動部２３とを備える。
【００１７】
ＬＥＤ表示モジュール２４は、ＬＥＤを表示デバイスとして用いたＬＥＤデバイス表示部２５とＬＥＤデバイス表示部２５を駆動するためのＬＥＤデバイス駆動部２６とを備える。
【００１８】
反射型デバイス表示部２２は、映像データの各画素に合わせて赤の反射型デバイス表示部画素２２Ｒ、緑の反射型デバイス表示部画素２２Ｇ、および青の反射型デバイス表示部画素２２Ｂをひとつのピクセルとして構成し、そのピクセルを最小単位としてマトリクス状に配置することで映像データを映し出すことができる。
【００１９】
ＬＥＤデバイス表示部２５は、映像データの各画素に合わせて赤に発光するＬＥＤデバイス表示部画素２５Ｒ（赤色ダイオード）、緑に発光するＬＥＤデバイス表示部画素２５Ｇ（緑色ダイオード）、および青に発光するＬＥＤデバイス表示部画素２５Ｂ（青色ダイオード）をひとつのピクセルとして構成し、そのピクセルを最小単位としてマトリクス状に配置することで映像データを映し出すことができる。
【００２０】
図１において、反射型デバイス表示部画素２２Ｒ，２２Ｇ，２２Ｂは、いずれもコレステリック液晶を用いて構成され、それぞれ、ＩＴＯなどで形成される透明の画素電極２２２と画素電極２２２と直交するように配置されたＩＴＯなどで形成される透明の画素電極２２３との間に挟持されている。また、画素電極２２２，２２３は、それぞれ、ガラス２２１の間に挟持されている。このように構成することにより、画素電極２２２，２２３を用いて反射型デバイス表示部画素２２Ｒ，２２Ｇ，２２Ｂをマトリクス駆動することができる。すなわち、反射型デバイス表示部２２は、映像データの全てのピクセルを表示できるように構成されている。例えば、一般的にＸＧＡ（eXtended Graphics Array）として知られている規格では、横１０２４ピクセル×縦７６８ピクセルのマトリクスで構成された映像データとなり、このＸＧＡの映像データを１個の反射型デバイス表示部２２に表示しようとした場合、横１０２４個×縦７６８個のピクセルにより構成されることが必要である。
【００２１】
また、図１に示されるように、ＬＥＤデバイス表示部画素２５Ｒ，２５Ｇ，２５Ｂは、ＬＥＤデバイス駆動部２６上で、反射型デバイス表示部画素２２Ｒ，２２Ｇ，２２Ｂと同じ間隔で同じ数だけ設けられている。即ち、ＬＥＤデバイス表示部画素２５Ｒ，２５Ｇ，２５Ｂは、反射型デバイス表示部画素２２Ｒ，２２Ｇ，２２Ｂと一対一に対応するように設けられている。
【００２２】
図２は、表示装置１の機能を示すブロック図である。図２に示されるように、表示制御モジュール３は、指示入力部３１と、表示モジュール選択部３２と、表示モジュール駆動条件制御部３３と、表示モジュール制御部３４と、映像データ蓄積部３５とを備える。
【００２３】
また、図３は、表示装置１の動作を示すフローチャートである。
【００２４】
以下では、図２および図３を用いて、表示装置１の動作を説明する。
【００２５】
まず、ステップＳ１において、指示入力部３１には、反射型表示モジュール２１またはＬＥＤ表示モジュール２４のどちらを使用するかの指示が入力される。この指示は、例えば切り替え用スイッチ等を用いて手動にて切り替えることにより、簡易に行うことができる。これにより、どちらの表示モジュールを使用するかを示す選択情報が生成される。
【００２６】
次に、ステップＳ２において、ステップＳ１で生成された選択情報が指示入力部３１から送信される。表示モジュール選択部３２は、この選択情報を受信し、映像を表示する表示モジュールを選択する。
【００２７】
反射型表示モジュール２１は、外光を反射して映像表示を行うため、夜間や屋内等、外光が十分に入射しない環境においては、映像の輝度が低下し視認性が低下する。一方、ＬＥＤ表示モジュール２４は、自発光型のＬＥＤを表示デバイスとして用いているので、映像を照度によらず視認性よく表示できる。従って、このような照度が低い環境においては、反射型表示モジュール２１ではなくＬＥＤ表示モジュール２４を選択することで、視認性を向上させることが可能となる。
【００２８】
また、ＬＥＤ表示モジュール２４は、自発光型の表示デバイスであるＬＥＤを常に駆動する必要があるので、消費電力が大きい。従って、照度が高い環境においては、ＬＥＤ表示モジュール２４ではなく反射型表示モジュール２１を選択することで、消費電力を低減することが可能となる。
【００２９】
次に、ステップＳ３において、表示モジュール選択部３２から表示モジュール駆動条件制御部３３に、この選択情報が送信される。表示モジュール駆動条件制御部３３は、この選択情報を受信すると、選択された表示モジュールの駆動条件を設定する。
【００３０】
例えば、ステップＳ２において反射型表示モジュール２１が選択された場合には、この駆動条件としては、反射型デバイス表示部２２に印加される電圧波形のパルス幅等が用いられる。
【００３１】
また、ステップＳ２においてＬＥＤ表示モジュール２４が選択された場合には、この駆動条件としては、ＬＥＤ表示モジュール２４の前面に配置された反射型デバイス表示部２２に含まれる表示デバイスとしてのコレステリック液晶を透過状態（すなわちフォーカルコニック配列）に駆動させるために反射型デバイス駆動部２３により印加される電圧値等が用いられる。この駆動条件としては、予め表示モジュール駆動条件制御部３３に複数のデータパターンが登録されており、例えば温度等の環境条件に合わせて最適なデータパターンが呼び出され決定される。
【００３２】
次に、ステップＳ４において、表示モジュール制御部３４は、表示モジュール駆動条件制御部３３から送信された駆動条件データと、映像データ蓄積部３５から送信された映像データとを受信する。
【００３３】
次に、ステップＳ５において、表示モジュール制御部３４は、ステップＳ４で受信された駆動条件データおよび映像データを、ステップＳ２で選択されたいずれかの表示モジュールへ送信する。なお、この表示モジュール制御部３４は、複数の映像データを予め設定された時間ごとに切り替えて表示させるスライドショー機能や予め設定された時間または日（曜日）に映像データを表示させるスケジュール機能を用いて表示モジュールを制御してもよい。
【００３４】
次に、ステップＳ６において、ステップＳ２で選択されたいずれかの表示モジュールは、ステップＳ５で送信された駆動条件データと映像データとを受信し、これらを用いて表示部への映像の表示を行う。
【００３５】
例えば、ステップＳ２において反射型表示モジュール２１が選択された場合には、反射型デバイス駆動部２３で駆動条件データと映像データとを受信し、これらのデータに基づき、反射型デバイス表示部２２を駆動するための印加電圧等に関する駆動パラメータが決定され、反射型デバイス表示部２２に映像データが表示される。
【００３６】
また、ステップＳ２においてＬＥＤ表示モジュール２４が選択された場合には、ＬＥＤデバイス駆動部２６で駆動条件データと映像データとを受信し、これらのデータに基づき、ＬＥＤデバイス表示部２５を駆動するための印加電圧等に関する駆動パラメータが決定され、ＬＥＤデバイス表示部２５に映像データが表示される。このとき、反射型デバイス駆動部２３により所定の電圧値を反射型デバイス表示部２２に印加させることにより、反射型デバイス表示部２２に含まれるコレステリック液晶をフォーカルコニック配列させる。これにより、反射型デバイス表示部２２を透過状態としＬＥＤデバイス表示部２５に表示される映像データを視認可能とすることができる。
【００３７】
次に、ステップＳ７において、表示モジュール駆動条件制御部３３は、ステップＳ２で選択された表示モジュールに表示させるべき映像データが他にないか判断する。この判断は、表示モジュール制御部３４に、上記のスライドショー機能やスケジュール機能により複数の映像データが登録されている場合に有効である。
【００３８】
表示させるべき映像データが他にある場合には、ステップＳ１に進み、ステップＳ１〜Ｓ６の一連の動作を繰り返す。
【００３９】
表示させるべき映像データが他にない場合には、最後の映像データを表示した後に、ステップＳ８に進み、表示装置１を停止させる。このとき、ステップＳ２において反射型表示モジュール２１が選択された場合には、反射型表示モジュール２１に最後の映像データを表示させたままの状態で表示装置１を停止させるか反射型表示モジュール２１を透過状態としてＬＥＤデバイス表示部２５を発光させない状態（黒色表示）で表示装置１を停止させるかのいずれかの処理を、予め表示モジュール制御部３４に格納された内容に従い行う。また、ステップＳ２においてＬＥＤ表示モジュール２４が選択された場合には、反射型表示モジュール２１を透過状態としてＬＥＤデバイス表示部２５を発光させない状態（黒色表示）で表示装置１を停止させる。なお、図１に示されるＬＥＤデバイス駆動部２６の表面には、図示しない黒いペーストが塗られている。これにより、ＬＥＤデバイス表示部２５を発光させない場合にＬＥＤ表示モジュール２４を黒色表示させることが可能となる。
【００４０】
このように、本実施の形態に係る表示装置１は、反射型表示モジュール２１に加えて、自発光型のＬＥＤ表示モジュール２４を備えている。従って、照度が低い環境においては、ＬＥＤ表示モジュール２４を選択することで、視認性を向上させることが可能となる。また、照度が高い環境においては、反射型表示モジュール２１を選択することで、消費電力を低減することが可能となる。
【００４１】
また、ＬＥＤデバイス表示部２５においては、ＬＥＤを、バックライト等の照明デバイスとしてではなく、赤色ダイオード、緑色ダイオード、および青色ダイオードから構成される表示デバイス（画素）として、反射型デバイス表示部画素２２Ｒ，２２Ｇ，２２Ｂと一対一に対応するように設けている。従って、特許文献２〜４に比べて、視認性をより向上させることができる。
【００４２】
＜実施の形態２＞
実施の形態１に係る表示装置１においては、指示入力部３１は、切り替え用スイッチ等を用いて、反射型表示モジュール２１またはＬＥＤ表示モジュール２４のどちらを使用するかの指示を入力する必要がある。従って、映像データの表示中に表示モジュールを切り替えたい場合には、その都度、手動にて表示モジュールの切り替えを行う必要がある。よって、表示装置１が遠隔地に設置されている場合や、夜間等で表示装置１が設置されている場所まで行くのが困難である場合には、切り替えを容易に行うことができない場合がある。
【００４３】
図４は、実施の形態２に係る表示装置１ａの機能を示すブロック図である。表示装置１ａは、図１に示される表示制御モジュール３において、指示入力部３１に代えて、タイマー３６および設定時刻格納部３７を有する表示制御モジュール３ａを備えるものである。タイマー３６は、現在の時刻に関するタイマー情報を取得し表示モジュール選択部３２からの要求に応じてこのタイマー情報を送信する機能を有している。設定時刻格納部３７は、各時刻において反射型表示モジュール２１またはＬＥＤ表示モジュール２４のどちらを使用するかを示すタイムテーブルを予め格納している。
【００４４】
また、図５は、表示装置１ａの動作を示すフローチャートである。図５は、図３において、ステップＳ１に代えてステップＳ１−ａ１，Ｓ１−ａ２を、ステップＳ２に代えてステップＳ２−ａ１を、それぞれ実行するものである。
【００４５】
以下では、図４および図５を用いて、表示装置１ａの動作を説明する。
【００４６】
まず、ステップＳ１−ａ１において、表示モジュール選択部３２は、タイマー３６から、現在の時刻に関するタイマー情報を受信し保持する。
【００４７】
次に、ステップＳ１−ａ２において、表示モジュール選択部３２は、設定時刻格納部３７から、各時刻においてどちらの表示モジュールを使用するかを示すタイムテーブルを受信し、ステップＳ１−ａ１で保持したタイマー情報とこのタイムテーブルとを比較する。
【００４８】
次に、ステップＳ２−ａ１において、表示モジュール選択部３２は、ステップＳ１−ａ２における比較の結果に基づき、映像を表示する表示モジュールを選択する。
【００４９】
以下、ステップＳ３〜Ｓ６において、実施の形態１と同様の動作を行う。
【００５０】
このように、本実施の形態に係る表示装置１ａは、実施の形態１に係る表示装置１における指示入力部３１に代えて、タイマー３６で取得されるタイマー情報を用いることにより、表示モジュールを自動で切り替える。従って、実施の形態１の効果に加えて、切り替えを容易に行うことができるという効果を有する。
【００５１】
例えば、日中のように、太陽光により外光の照度が十分に高い環境においては、反射型表示モジュール２１を使用して映像データの表示を行うことで、同じ画像を表示しつづけている間の消費電力を抑制でき、明るい環境でも鮮明な映像データの表示が可能となる。そして、夜間のように、外光の照度が小さく、反射型表示モジュール２１では映像データを十分な鮮明度で表示できない場合には、ＬＥＤ表示モジュール２４に切り替えて映像データの表示を行うことで、日中と同様に映像データの表示を鮮明に行うことが可能となる。すなわち、時刻に応じて適切な表示モジュールを使用するように予め設定しておくことで、消費電力を抑制しつつ視認性を向上させることができる。
【００５２】
なお、上記の説明においては、表示モジュール選択部３２は、各時刻においてどちらの表示モジュールを使用するかを示すタイムテーブルを用いて表示モジュールを選択するが、このようなタイムテーブルに代えて、表示モジュールをいつ切り替えるかを示すタイムテーブルを用いてもよい。
【００５３】
＜実施の形態３＞
実施の形態２に係る表示装置１ａにおいては、タイマー３６を用いて取得された現在のタイマー情報を、設定時刻格納部３７に予め格納されたタイムテーブルと比較することにより、表示モジュールを自動で切り替える。しかし、予め格納されたタイムテーブルを用いた場合には、突発的な環境条件の変化に対応できないことがある。
【００５４】
例えば、日中においても、表示装置１ａが設置された環境によっては、曇天や降雨等の自然環境の変化により外光の照度が低下したり、あるいは、車や建物の影が表示装置１ａにかかることにより外光の照度が低下したりする場合がある。日中には反射型表示モジュール２１を使用するような設定がなされていると、このような場合には映像の視認性が低下することがある。
【００５５】
また、夜間においても、例えば外部に設けられた照明塔等によって表示装置１ａに十分な照度が確保できる場合には、ＬＥＤ表示モジュール２４ではなく反射型表示モジュール２１を使用した方が消費電力を低く抑えられる場合がある。
【００５６】
図６は、実施の形態３に係る表示装置１ｂの機能を示すブロック図である。表示装置１ｂは、図４に示される表示制御モジュール３ａにおいて、タイマー３６および設定時刻格納部３７に代えて、照度センサー３８および照度閾値格納部３９を有する表示制御モジュール３ｂを備えるものである。照度センサー３８は、表示装置１ｂが設置されている環境の照度を測定し表示モジュール選択部３２からの要求に応じて照度測定値を送信する機能を有している。照度閾値格納部３９は、反射型表示モジュール２１またはＬＥＤ表示モジュール２４を切り替えるための照度閾値を予め格納している。
【００５７】
また、図７は、表示装置１ｂの動作を示すフローチャートである。図７は、図５において、ステップＳ１−ａ１，Ｓ１−ａ２に代えてステップＳ１−ｂ１，Ｓ１−ｂ２を、ステップＳ２−ａ１に代えてステップＳ２−ｂ１を、それぞれ実行するものである。
【００５８】
以下では、図６および図７を用いて、表示装置１ｂの動作を説明する。
【００５９】
まず、ステップＳ１−ｂ１において、表示モジュール選択部３２は、照度センサー３８から、表示装置１ｂが設置されている環境の照度測定値を受信し保持する。
【００６０】
次に、ステップＳ１−ｂ２において、表示モジュール選択部３２は、照度閾値格納部３９から、表示モジュールを切り替えるための照度閾値を受信し、ステップＳ１−ｂ１で保持した照度測定値とこのタイムテーブルとを比較する。
【００６１】
次に、ステップＳ２−ｂ１において、表示モジュール選択部３２は、ステップＳ１−ｂ２における比較の結果に基づき、映像を表示する表示モジュールを選択する。すなわち、照度測定値が照度閾値より大きい場合には反射型表示モジュール２１を選択し照度測定値が照度閾値より小さい場合にはＬＥＤ表示モジュール２４を選択する。
【００６２】
以下、ステップＳ３〜Ｓ８において、実施の形態１と同様の動作を行う。
【００６３】
このように、本実施の形態に係る表示装置１ｂは、実施の形態２に係る表示装置１ａにおいて、タイマー３６で取得されるタイマー情報に代えて、照度センサー３８で測定される照度測定値を用いることにより、表示モジュールを自動で切り替える。従って、実施の形態２の効果に加えて、突発的な環境条件の変化に対応できるという効果を有する。
【００６４】
例えば、日中に反射型表示モジュール２１を使用していた場合において、曇天や降雨等で表示装置１ｂの外光の照度が低下した場合には、表示制御モジュール３ｂは、表示モジュールをＬＥＤ表示モジュール２４に切り替える。これにより、映像の視認性の低下を防止できる。また、天候が回復して表示装置１ｂの外光の照度が十分に上昇した場合には、表示制御モジュール３ｂは、表示モジュールを反射型表示モジュール２１に切り替える。これにより、消費電力を抑制できる。すなわち、照度に応じて適切な表示モジュールを使用するように予め設定しておくことで、突発的な環境条件の変化に対応することが可能となる。
【００６５】
＜実施の形態４＞
実施の形態１に係る表示モジュール２においては、反射型表示モジュール２１を透過状態とし且つ反射型表示モジュール２１の裏面に配置されたＬＥＤ表示モジュール２４を発光させない状態とすることで、黒色を表示している。しかし、表示モジュール２においては、以下に説明するような理由により、黒色を適切に表示できない場合がある。
【００６６】
図８は、実施の形態１に係る表示モジュール２の概略構成を示す模式図である。前述したように、ＬＥＤデバイス駆動部２６の表面には、図示しない黒いペーストが塗られているので、反射型デバイス表示部２２を透過したほとんどの外光は、この黒いペーストに吸収される。しかし、反射型デバイス表示部２２を透過した一部の外光（図８に示される外光２７）は、ＬＥＤデバイス表示部２５に当たって反射され、反射型デバイス表示部２２を再び透過し反射光２８として出射する。従って、黒色の輝度レベルが上がり視認性が低下する場合がある。
【００６７】
図９は、本発明の実施の形態４に係る表示モジュール２ｃの概略構成を示す模式図である。表示モジュール２ｃは、図１に示される表示モジュール２において、ＬＥＤデバイス駆動部２６上で、ＬＥＤデバイス表示部画素２５Ｒ，２５Ｇ，２５Ｂからなり互いに隣接するピクセル同士の間に、衝立状にシェダー２９を配置させ外光を遮断させたものである。
【００６８】
図９に示すように、反射型デバイス表示部２２を透過した外光２７は、シェダー２９に吸収されるので、反射光として出射しない。従って、入射角度によらず全ての外光２７を吸収できるような形状および大きさのシェダー２９を設けることで、黒色の輝度レベルを抑え視認性を向上させることが可能となる。なお、シェダー２９は、大きいほど、黒色の輝度レベルを抑える効果が大きくなるが、その反面、斜めから表示モジュール２ｃを見るときの視認性を低下させる場合がある。従って、シェダー２９の大きさは、表示装置における視認角度を十分確保できる程度に留めておく必要がある。
【００６９】
このように、本実施の形態に係る表示モジュール２ｃにおいては、外光２７を吸収するシェダー２９を設けることにより、黒色の輝度レベルを抑え視認性を向上させることが可能となる。
【００７０】
なお、上述においては、実施の形態１に係る表示モジュール２にシェダー２９を設ける場合について説明したが、表示モジュール２に限らず、実施の形態２に係る表示モジュール２ａまたは実施の形態３に係る表示モジュール２ｂにシェダー２９を設けてもよい。
【００７１】
＜実施の形態５＞
実施の形態１に係る表示装置１は、反射型表示モジュール２１またはＬＥＤ表示モジュール２４のいずれか一方のみを用いて映像データを表示している。しかし、１個の映像においては、反射型表示モジュール２１で表示するのに適した領域とＬＥＤ表示モジュール２４で表示するのに適した領域との両方が含まれる場合がある。従って、１個の映像を、反射型表示モジュール２１およびＬＥＤ表示モジュール２４の両方を用いて表示する方が適切な場合がある。
【００７２】
図１０は、実施の形態５に係る表示装置１ｃの機能を示すブロック図である。表示装置１ｃは、図１に示される表示装置１において、表示モジュール制御部３４と映像データ蓄積部３５との間に、映像データ設定部４０および映像データ蓄積部４１を介在させたものである。映像データ設定部４０は、映像の解析を行い、１個の映像を、反射型表示モジュール２１で表示するのに適した反射型表示領域（第１領域）とＬＥＤ表示モジュール２４で表示するのに適したＬＥＤ表示領域（第２領域）とに選別する機能を有している。この選別の基準となる選別基準データは、予め映像データ設定部４０に格納されており、容易に変更可能である。また、映像データ設定部４０に複数の選別基準データを格納しておき、それらを切り替えて使用することも可能である。
【００７３】
また、図１１は、表示装置１ｃの動作を示すフローチャートである。図１１は、図３において、ステップＳ１に代えてステップＳ１−ｃ１〜Ｓ１−ｃ５を、ステップＳ２に代えてステップＳ２−ｃ１を、ステップＳ４〜６に代えてステップＳ４−ｃ１〜Ｓ６−ｃ１を、それぞれ実行するものである。
【００７４】
以下では、図１０および図１１を用いて、表示装置１ｃの動作を説明する。
【００７５】
まず、ステップＳ１−ｃ１において、映像データ設定部４０は、映像データ蓄積部３５から送信された映像データを受信する。
【００７６】
次に、ステップＳ１−ｃ２において、映像データ設定部４０は、ステップＳ１−ｃ１で受信した１個の映像データを、選別基準データを用いて、反射型表示領域とＬＥＤ表示領域とに選別する。そして、その選別結果としての領域情報を、映像データに書き込み設定する。例えば、１個の映像データにおいて、文字や動きがあり視認のために高い訴求力を必要とする領域はＬＥＤ表示領域として設定され、写真やイラスト等からなり視認のために高い訴求力を必要としない領域は反射型表示領域として設定される。このように領域情報を設定することにより、消費電力を抑制しつつ視認性を向上させ且つ訴求力を保つことができる。また、あるいは、後述するように、設定された領域情報を参照せずに、予め選択された一方の表示モジュールのみに映像データを表示してもよい。
【００７７】
次に、ステップＳ１−ｃ３において、映像データ設定部４０は、ステップＳ１−ｃ２で領域情報を書き込み設定された設定済み映像データを、映像データ蓄積部４１に格納する。同時に、映像データ設定部４０は、設定済み映像データを表示モジュール選択部３２に送信する。
【００７８】
次に、ステップＳ１−ｃ４において、指示入力部３１には、領域情報を参照して反射型デバイス表示部２２およびＬＥＤデバイス表示部２５の両方を用いるか、あるいは領域情報を参照せず反射型表示モジュール２１またはＬＥＤ表示モジュール２４のどちらか一方の表示モジュールのみを用いるかの指示が、切り替え用スイッチ等により入力される。これにより、１個の映像データに対して、どちらの表示モジュールを専ら使用するかあるいは領域情報を参照して両方の表示モジュールを使用するかを示す選択情報が生成される。
【００７９】
次に、ステップＳ１−ｃ５において、表示モジュール選択部３２は、ステップＳ１−ｃ３で映像データ設定部４０から送信された設定済み映像データを受信するとともに、ステップＳ１−ｃ４で指示入力部３１で生成された選択情報を受信する。
【００８０】
次に、ステップＳ２−ｃ１において、表示モジュール選択部３２は、ステップＳ１−ｃ５で受信した設定済み映像データに含まれる領域情報および選択情報を用いて、映像を表示する表示モジュールを選択する。
【００８１】
次に、ステップＳ３において、実施の形態１と同様に、選択された表示モジュールの駆動条件を設定する。
【００８２】
次に、ステップＳ４−ｃ１において、表示モジュール制御部３４は、表示モジュール駆動条件制御部３３から送信された駆動条件データと、映像データ蓄積部４１から送信された映像データとを受信する。
【００８３】
次に、ステップＳ５−ｃ１において、表示モジュール制御部３４は、ステップＳ４−ｃ１で受信された駆動条件データおよび映像データを、ステップＳ２−ｃ１で選択された表示モジュールへ送信する。
【００８４】
次に、ステップＳ６−ｃ１において、ステップＳ２−ｃ１で選択された表示モジュールは、ステップＳ５−ｃ１で送信された駆動条件データと映像データとを受信し、これらを用いて表示部への映像の表示を行う。
【００８５】
例えば、領域情報を参照して両方の表示モジュールを使用する場合には、反射型デバイス駆動部２３およびＬＥＤデバイス駆動部２６の両方が、駆動条件データおよび映像データを受信し、反射型デバイス表示部２２およびＬＥＤデバイス表示部２５の各ピクセルにそれぞれに割り当てられた領域を表示させる。
【００８６】
また、領域情報を参照せず予め選択された一方の表示モジュールのみを使用する場合には、いずれか一方のデバイス駆動部のみが、駆動条件データおよび映像データを受信し、いずれか一方のデバイス表示部のみに１個の映像データの全ての領域を表示させる。
【００８７】
以下、ステップＳ７〜Ｓ８において、実施の形態１と同様の動作を行う。
【００８８】
このように、本実施の形態に係る表示装置１ｃは、実施の形態１に係る表示装置１において、１個の映像のうち、反射型表示モジュール２１で表示するのに適した領域は反射型表示モジュール２１で表示し、ＬＥＤ表示モジュール２４で表示するのに適した領域はＬＥＤ表示モジュール２４で表示する。従って、例えば、高い訴求力を必要としない領域は反射型表示モジュール２１で表示し、高い訴求力を必要とする領域はＬＥＤ表示モジュール２４で表示するように設定することにより、消費電力を抑制しつつ視認性を向上させ且つ訴求力を保つことができる。
【図面の簡単な説明】
【００８９】
【図１】本発明の実施の形態１に係る表示装置の概略構成を示す模式図である。
【図２】表示装置の機能を示すブロック図である。
【図３】表示装置の動作を示すフローチャートである。
【図４】本発明の実施の形態２に係る表示装置の機能を示すブロック図である。
【図５】表示装置の動作を示すフローチャートである。
【図６】本発明の実施の形態３に係る表示装置の機能を示すブロック図である。
【図７】表示装置の動作を示すフローチャートである。
【図８】本発明の実施の形態１に係る表示装置の概略構成を示す模式図である。
【図９】本発明の実施の形態４に係る表示装置の概略構成を示す模式図である。
【図１０】本発明の実施の形態５に係る表示装置の機能を示すブロック図である。
【図１１】表示装置の動作を示すフローチャートである。
【符号の説明】
【００９０】
１  表示装置、２  表示モジュール、３  表示制御モジュール、２１  反射型表示モジュール、２２  反射型デバイス表示部、２２Ｒ，２２Ｇ，２２Ｂ  反射型デバイス表示部画素、２３  反射型デバイス駆動部、２４  ＬＥＤ表示モジュール、２５  ＬＥＤデバイス表示部、２５Ｒ，２５Ｇ，２５Ｂ  ＬＥＤデバイス表示部画素、２６  ＬＥＤデバイス駆動部、２７  外光、２８  反射光、２９  シェダー、３１  指示入力部、３２  表示モジュール選択部、３３  表示モジュール駆動条件制御部、３４  表示モジュール制御部、３５，４１  映像データ蓄積部、３６  タイマー、３７  設定時刻格納部、３８  照度センサー、３９  照度閾値格納部、４０  映像データ設定部、２２１  ガラス、２２２，２２３  画素電極。
【図１】
2006146017.tif 000003
【図２】
2006146017.tif 000004
【図３】
2006146017.tif 000005
【図４】
2006146017.tif 000006
【図５】
2006146017.tif 000007
【図６】
2006146017.tif 000008
【図７】
2006146017.tif 000009
【図８】
2006146017.tif 000010
【図９】
2006146017.tif 000011
【図１０】
2006146017.tif 000012
【図１１】
2006146017.tif 000013